Podtech/llm-jp-corpus-v4-ja_patent huggingface dataset:
(57)【要約】      （修正有）【課題】運搬車両で搬入される金属スクラップ、産業廃棄物、一般廃棄物中から、γ線を放射する放射線物質を検出し、場内への持込みを未然に防止する可搬型トラックゲートモニターを提供する。【解決手段】センサー筐体部と据付基礎鉄板部に分離して、センサー筐体１１は、全体をＨ型鋼材１２で保持されており、これを据付基礎１３にはめ込む構造になっている。据付基礎は３５０角型鋼管１４、と４０ｔ基礎鉄板１５からなっており、角型鋼管１４は基礎鉄板１５に溶接されている。従ってこのまま地上に設置することが出来る構造となっている。【選択図】図２
0003205103.tif 000002
【実用新案登録請求の範囲】
【請求項１】
トラックゲートモニターにおいてセンサー筐体部と据付基礎鉄板部に分離して、据付基礎鉄板部は土木工事なしで地上にそのまま設置することにし、その上にセンサー筐体をはめ込む構造とし、配線部はすべてコネクタ接続としたトラックゲートモニター。
【請求項２】
トラックゲートモニターにおいてセンサー筐体部に直接据付基礎鉄板を溶接して、全体を移動できる構造とし、土木工事なしで地上にそのまま設置することにしたトラックゲートモニター。
【考案の詳細な説明】
【技術分野】
【０００１】  本考案は、運搬車両で搬入される金属スクラップ、産業廃棄物、一般廃棄物中から、γ線を放射する放射線物質を検出し、場内への持込みを未然に防止する可搬型トラックゲートモニターに関する考案であります。
【背景技術】
【０００２】  トラックゲートモニターは、運搬車両入場口の両側に放射線を検出するセンサーを設置して運搬車両はその間を時速１０ｋｍ以下で走行して、車両に積載されている荷物の放射線物質を検出するとともに放射線物質積載位置を検出するものであります。
従来のトラックゲートモニターは、放射線を検出するセンサー部は、設置するために、土木工事、配線工事を実施して据付を実施している。【０００３】  しかしながら、運搬車両の搬入場所は常に移動しており、設置場所の変更のたびに、土木工事、配線工事を実施しなければならないという欠点があった。
【非特許文献】「トラックゲートモニター  カタログ」サイバーテック株式会社、水木電機工業株式会社
【考案の概要】
【考案が解決しようとする課題】
【０００４】  本考案は、設置場所の変更のたびに、土木工事、配線工事を実施しなければならないという欠点に鑑み可搬型トラックゲートモニターを提供する事を目的としている。
【課題を解決するための手段】
【０００５】  上記目的を達成するために、放射線を検出するセンサーは、センサー筐体部と据付基礎鉄板部に分離して、据付基礎鉄板部は土木工事なしで地上にそのまま設置することにし、その上にセンサー筐体をはめ込む構成とし、また配線部はすべてコネクタ接続とし、可搬型トラックゲートモニターとした。
または、センサー筐体部に直接据付基礎鉄板を溶接して、全体を移動できる構造とした。
【考案の効果】
【０００６】  以上の説明から明らかなように、本考案あたってはつぎに列挙する効果がえらえられる。
（１）  サンサー部はセンサー筐体部と据付基礎鉄板部に分離して、据付基礎鉄板部は土木工事なしに設置できるため簡単に、設置場所を移動できる。
（２）センサーの配線部は全てコネクタ接続のため、配線作業が不要となる。
【図面の簡単な説明】
【０００７】
【図１】トラックゲートモニターの構成ブロック図
【図２】本考案を実施するための第１のセンサー筐体部と据付基礎鉄板部に分離して設置する場合の構成図
【図３】本考案を実施するための第２のセンサー筐体部と据付基礎鉄板部を一体化して設置する場合の構成図
【考案を実施するための形態】
【０００８】以下、本考案の実施の形態を図に基づいて説明する。
【実施例１】
【０００９】  図１はトラックゲートモニターの構成ブロック図を示す。装置は放射線を検出するセンサー１、測定データを判定表示する制御装置２、センサーと制御装置を接続する配線ケーブル３より構成されている。このセンサーの間に運搬車両４を走行させて、測定を実施している。【００１０】  図２は本考案を実施するための、センサー筐体部と据付基礎鉄板部に分離して設置する場合の構成図であり、センサー筐体１１、は全体をＨ型鋼材１２で保持されており、これを据付基礎１３にはめ込む構造になっている。据付基礎は３５０角型鋼管１４、と４０ｔ基礎鉄板１５からなっており、角型鋼管は基礎鉄板に溶接されている。従ってこのまま地上に設置することが出来る構造となっている。
【実施例２】
【００１１】  図３はセンサー筐体部と据付基礎鉄板部を一体化された構造になっており、センサー筐体２１、はＨ型鋼材２２にネジどめされており、これを角パイプ２３で補強し１２ｔの基礎鉄板２４に溶接接続されている。従ってセンサー筐体部と据付基礎鉄板部をこのまま地上に設置することが出来る構造となっている。
【産業上の利用の可能性】
【００１２】  本考案はトラックゲートモニターを設置する分野で活用される。
【符号の説明】
【００１３】  １  放射線を検出するセンサー
２  制御装置
３  配線ケーブル
１１  センサー筐体
１２  Ｈ型鋼材
１３  据付基礎
１４  ３５０角型鋼管
１５  ４０ｔ基礎鉄板
２１  センサー筐体
２２  Ｈ型鋼材
２３  角パイプ
２４  １２ｔの基礎鉄板
【図１】
0003205103.tif 000003
【図２】
0003205103.tif 000004
【図３】
0003205103.tif 000005
(57)【要約】【課題】身体の一部にしか汗腺を有せず汗が蒸発するときの気化熱を利用できなく暑い時の放熱が苦手な犬等動物に、生地を軽く濡らすことで強制的に水分蒸発時の気化熱を発生させ、放熱を助けるタオルを提供する。【解決手段】気化熱を効率よく発生させる通気性の良い吸水、速乾機能を持つ繊維で作られた生地でタオルを作り、軽く濡らして犬等動物の体を覆い、水分蒸発時の気化熱を有効に活用し身体の放熱を補助できるようにしたもの。【選択図】図１
0003205106.tif 000002
【実用新案登録請求の範囲】
【請求項１】
通気性の良い吸水、速乾機能を持つ繊維で成形された生地で作られ、軽く濡らした状態で使用、水分蒸発の気化熱を利用することを特徴とする動物用タオル。
【考案の詳細な説明】
【技術分野】
【０００１】      本考案は犬等動物に使用する身体を冷やすタオルに関する。
【背景技術】
【０００２】      従来人間用で吸水、速乾機能を持つ生地で作られた洋服が存在する。この役割は運動などで汗をかいた時にこの汗を吸収し、その蒸発するときの気化熱を利用して体表温を下げることが知られている。
【考案の概要】
【考案が解決しようとする課題】
【０００３】      身体の一部にしか汗腺を有せず汗が蒸発するときの気化熱を利用できなく暑い時の放熱が苦手な犬等動物に、生地を濡らすことで強制的に気化熱を発生させ身体の放熱を助けるタオルを提供することを目的とする。
【課題を解決するための手段】
【０００４】      上記課題を解決するために本考案は、気化熱を効率よく発生させる通気性の良い吸水、速乾機能を持つ繊維で作られた生地でタオルを作り、軽く濡らして犬等動物の体を覆い、水分蒸発時の気化熱を有効に活用し身体の放熱を補助できるようにしたことを特徴とする。
【考案の効果】
【０００５】      上記のように本考案により、その身体の一部にしか汗腺を有せず汗が蒸発するときの気化熱を利用できなく暑い時の放熱が苦手な犬等動物に、気化熱を効率よく発生させる通気性の良い吸水、速乾機能を持つ繊維で作られた生地でタオルを作り、軽く濡らしてその体を覆うことで気化熱を強制的に発生させ身体の放熱を有効に補助することを特徴とする。
【図面の簡単な説明】
【０００６】
【図１】  本考案の第一の実施例形態のタオルを示す図。
【図２】  図１タオルの使用状態を示す図。
【図３】  本考案の第二の実施例形態のタオルを示す図。
【考案を実施するための形態】
【０００７】      以下本考案の実施の形態を図面に基づいて説明する。
図１により本考案のタオルは１の通気性の良い吸水、速乾機能を持つ繊維で成形された生地で構成されるものである。
【０００８】      その形状は図１に示すように、端がほつれないように２の端止めステッチなどで端処理をしたもので、犬等動物を覆うサイズである。
【０００９】      図２は第一の実施例形態のタオルを犬等動物に使用した図である。このように本タオルを軽く濡らした状態で犬等動物の身体を覆うことで、水分蒸発の気化熱でその身体の放熱を補助することができる。
【００１０】      図３は他の実施例である。１の通気性の良い吸水、速乾の生地に２の端処理を施し４の頭を覆う頭部フードを付け、３の結び紐を本体に取り付けることで犬等動物が動いてもその身体からタオルが外れないようにしたものである。
【実施例】
【００１１】      上記形態により軽く濡らした状態で本タオルを装着した犬等動物は、通気性の良い吸水、速乾生地の水分蒸発の気化熱作用でその体温を下げる効果を得ることができる。
【産業上の利用可能性】
【００１２】      地球温暖化が進む中、年々夏の暑さが増している状況で、家庭で飼育されている犬等動物の暑さ対策が必要になっています。暑い夏の散歩後などに本タオルを使用して体温を早めに正常値に戻すなど、手軽な使い勝手の良さでその使用範囲の拡大が見込まれる。
【符号の説明】
【００１３】１：吸水、速乾生地
２：端止めステッチ
３：結び紐
４：頭部フード
【図１】
0003205106.tif 000003
【図２】
0003205106.tif 000004
【図３】
0003205106.tif 000005
(57)【要約】【課題】乳幼児の歯磨きに対する嫌悪感を減少させ、簡単かつ効果的に乳幼児の歯の汚れを除去することができる乳幼児用歯ブラシを提供する。【解決手段】請求項１に記載の乳幼児用歯ブラシは、把柄部１と、把柄部１に対して一定の角度をもって連続する頸部２と、頸部２に対して一定の角度をもって連続する頭部３と、頭部３の先端部に形成された植毛面３１と、植毛面３１に垂直又は略垂直に植毛された刷毛束３２より成る。植毛面３１は円形又は略円形で、刷毛束３２の突出方向に対する断面は円形又は略円形で、刷毛束３２の先端部は半球又は略半球であることを特徴とする。  請求項２に記載の乳幼児用歯ブラシは、請求項１に記載の乳幼児用歯ブラシの特徴に加えて、把柄部１の長手方向軸に対する断面が三角形であることを特徴とする。【選択図】図２
0003205146.tif 000002
【実用新案登録請求の範囲】
【請求項１】
乳幼児用歯ブラシであって、
把柄部と、
前記把柄部に対して一定の角度をもって連続する頸部と、
前記頸部に対して一定の角度をもって連続する頭部と、
前記頭部の先端部に形成された植毛面と、
前記植毛面に垂直又は略垂直に植毛された刷毛束と、
から成り、
前記植毛面は円形又略円形で、
前記刷毛束の突出方向に対する断面は円形又は略円形で、
前記刷毛束の先端部は半球又は略半球で、
あることを特徴とする乳幼児用歯ブラシ。
【請求項２】
前記把柄部の長手方向軸に対する断面は三角形であることを特徴とする請求項１記載の乳幼児用歯ブラシ。
【考案の詳細な説明】
【技術分野】
【０００１】
本考案は、刷毛束の先端部の形状が半球又は略半球であることを特徴とする乳幼児用歯ブラシ関する。
【背景技術】
【０００２】
市販の歯ブラシは、把柄部・頸部・頭部がほぼ１直線に連続し、平板状の頭部に３列の刷毛束が立直する構造を有するものが一般的であり、乳幼児用歯ブラシについても、この形のものを、サイズだけ小さくしたものが多かった。
【０００３】
近年、刷毛束が一塊となり先端が円錐形の「ワンタフト歯ブラシ」と称される歯ブラシが市販されている。
【考案の概要】
【考案が解決しようとする課題】
【０００４】
歯ブラシの使用に際しては、図１に示すように、歯頚部（歯と歯肉の境目）に刷毛の先端を当て、この部分の汚れを落とすことが重要であるが、乳幼児の場合は歯磨きを嫌がり、静止状態を保持できないことが多いため、前述したような通常の形状の歯ブラシを使用してこの部分の汚れをとることは非常に難しい。
【０００５】
一方、ピンポイントで汚れを除去することを狙ったワンタフト歯ブラシについては、刷毛束の先端が尖っていることから、歯茎を傷つけるといった心配をもつ親が多く、乳幼児自身も視覚的に、また感触的に、この形状の刷毛を嫌がることが多い。実際の効果についても、歯頚部の汚物除去には、いかに歯ブラシの毛が接触しているかが重要であるところ、ワンタフト歯ブラシのように円錐状になった刷毛束の先端を当てるのでは、汚れの除去は期待できない。
【０００６】
歯を磨くうえで、もう一つ大切なことは、力を入れずに磨くことである。歯の汚れは、歯・歯茎を強く擦るのではなく、刷毛束の先端を歯に当てて歯頸部をなぞるようにすることによって落ちる。そのように力を入れずに磨くには、鉛筆を持つ要領で歯ブラシの把柄部を持つことが有効であり、これに関しては多くの歯科医院、保健所等で指導が実施されている。しかし、一般の歯ブラシの把柄部は平板で、どれも形に大差はなく、特に意識をしない限り、親指の腹で押さえて把柄部を握ってしまうような形状になっている。
【０００７】
上述の問題を踏まえ、本考案においては、乳幼児の歯磨きに対する嫌悪感を減少させ、簡単かつ効果的に乳幼児の歯の汚れを除去することができる乳幼児用歯ブラシを提供することを課題とする。
【課題を解決するための手段】
【０００８】
上記課題を解決するために、請求項１に記載の乳幼児用歯ブラシは、把柄部と、前記把柄部に対して一定の角度をもって連続する頸部と、前記頸部に対して一定の角度をもって連続する頭部と、前記頭部の先端部に形成された植毛面と、前記植毛面に垂直又は略垂直に植毛された刷毛束と、から成り、前記植毛面は円形又は略円形で、前記刷毛束の突出方向に対する断面は円形又は略円形で、前記刷毛束の先端部は半球又は略半球であることを特徴とする。
【０００９】
請求項２に記載の乳幼児用歯ブラシは、前記把柄部の長手方向軸に対する断面が三角形であることを特徴とする。
【考案の効果】
【００１０】
刷毛束の断面が円形又は略円形で、刷毛束の先端部が半球又は略半球であるため、刷毛束の先端を歯に対してどのような角度で当接させても、刷毛束が放射状に広がり、歯頚部に沿って乳歯の表面全体を網羅するので、歯ブラシを動かすだけで簡単に汚れを除去することができる。
【００１１】
把柄部の断面が三角形であるため、自然と鉛筆もち、すなわち、把柄部を親指・人差し指・中指の三点で持つことができる。これによって、力を入れずに歯頸部の汚れを効果的に除去することができる。
【００１２】
上述の効果に伴い、乳幼児の虫歯リスクが減少し、仕上げ磨きに苦労している親のストレスも減る。
【図面の簡単な説明】
【００１３】
【図１】本実施例に係る歯ブラシを使用した歯磨きのイメージ図である。
【図２】本実施例に係る歯ブラシの斜視図である。
【図３】本実施例に係る歯ブラシの、（Ａ）正面図、（Ｂ）右側面図である。
【考案を実施するための形態】
【００１４】
以下、本考案の実施形態について図を用いて説明する。本実施形態に係る乳幼児用歯ブラシは、請求項２に記載の歯ブラシである。
【００１５】
図２及び３に示すように、本歯ブラシは把柄部１と頸部２が、また、頸部２と頭部３がそれぞれ一定の角度をもって連続し、把柄部１の形状は正三角柱、頸部２及び頭部３は円柱となっている。頭部３の先端部には円形の植毛面３１が形成され、植毛面３１からは垂直方向に一塊の刷毛束３２が突出し、刷毛束３２の先端部は半球の形状となっている。
【００１６】
図２に示すように、把柄部１の形状が正三角柱となっているため、使用者は親指・人差し指・中指を使用して、自然な形で鉛筆を持つようにして把柄部１を持ち、力を抜いて歯磨きをすることが可能となる。また、刷毛束３２が頭部３の先端部から軸方向に突出し、先端部が半球の形状となっているため、歯に対する当接角度に関わらず、刷毛束３２が放射状に広がり、歯頚部６に沿って乳歯の表面全体を網羅する。このため、歯ブラシを動かすだけで簡単に汚れを除去することが可能となる。図１は本実施形態の歯ブラシを使用した歯磨きのイメージを表す。
【符号の説明】
【００１７】
１      把柄部
２      頸部
３      頭部
３１    植毛面
３２    刷毛束
４      歯
５      歯茎
６      歯頸部
【図１】
0003205146.tif 000003
【図２】
0003205146.tif 000004
【図３】
0003205146.tif 000005
(57)【要約】      （修正有）【課題】チップ状電子部品等を搭載したプリント配線板において、電子機器への搭載・設置・取り付け、組み立てなどの作業中におけるチップ状電子部品の破壊を防止することができる保護スペースを提供する。【解決手段】表面に主に大型部品を実装し、裏面にチップ状電子部品４を実装したプリント配線板１において、裏面のチップ状電子部品４の高さより高い擬似部品を保護スペーサ３として２次元的に実装し、プリント配線板１のチップ状電子部品４を外的ストレスから保護する。【選択図】図１
0003205140.tif 000002
【実用新案登録請求の範囲】
【請求項１】
表面に主に大型部品を実装し、裏面にチップ状電子部品を実装したプリント配線板において、
裏面のチップ状電子部品の高さより高い擬似部品を２次元的に実装し、プリント配線板のチップ状電子部品を外的ストレスから保護することを特長とした擬似部品による保護スペーサ。
【請求項２】
表面に主に大型部品を実装し、裏面にチップ状電子部品を実装したプリント配線板において、
裏面のチップ状電子部品の高さより高い端子等を２次元的に実装し、プリント配線板のチップ状電子部品を外的ストレスから保護することを特長とした端子部品による保護スペーサ。
【請求項３】
前記端子部品はコネクタおよびまたは端子台であることを特徴とする請求項1乃至２に記載の保護スペーサ。
【考案の詳細な説明】
【技術分野】
【０００１】
プリント配線板を有する電子機器に関する物である。
【背景技術】
【０００２】
近年、電子機器の小型化の要求により、各種の部品がチップ状電子部品化している。例えば、片面のプリント配線板では、従来は部品が無かったはんだ面にチップ状電子部品を搭載するようになった。これらのプリント配線板は、部品実装組み立て工程および、電子機器への設置搭載工程等の製造段階において、作業机等に置かれる場合がある。このとき、チップ状電子部品は、作業机等に直接触れる可能性があり、打痕によるストレスにより破壊することがあった。これらを防止するために、専用のトレーを設けたり等の対策を施すものの、実際の作業現場では、直接置かれることもあり、チップ状電子部品の破壊の原因の一つとなっていた。
【先行技術文献】
【特許文献】
【０００３】
【特許文献１】特開2014-213911号公報
【考案の概要】
【考案が解決しようとする課題】
【０００４】
特許文献１は、専用のトレーを用いることを提案する。このような専用トレーでは製品ごとに外形、チップ状電子部品が異なり、製品ごとに用意する必要がある。特許文献１は、微小なチップ状電子部品の長辺あるいは短辺の、側面を上面に立てた形状に電子部品挿入部に収納・固定することは、非常に困難であるところから、このような微小なチップ状電子部品を側面を上面にして収納・固定することができるチップ状電子部品を効果が有る。しかし、製品ごとに用意する必要がある。チップ状電子部品等を搭載したプリント配線板において、電子機器への搭載・設置・取り付け、組み立てなどの作業中におけるチップ状電子部品の破壊を防止することを目的とする。
【０００５】
チップ状電子部品等を搭載したプリント配線板において、電子機器への搭載・設置・取り付け、組み立てなどの作業中におけるチップ状電子部品の破壊を防止することを目的とする。
【考案の効果】
【０００６】
チップ状電子部品等を搭載したプリント配線板において、電子機器への搭載・設置・取り付け、組み立てなどの作業中におけるチップ状電子部品の破壊を防止することができる。製品ごとに専用のトレーを用意する必要が無い。
【図面の簡単な説明】
【０００７】
【図１】本考案の実施例の概念を示す説明図である。
【図２】従来例と本考案の対比を示す機能説明図である。
【考案を実施するための形態】
【０００８】
以下に本考案の実施例を図１及び図２に基づいて説明する。
【実施例１】
【０００９】
図１が本発明の実施例であり、プリント配線板における部品実装例である。表面には電解コンデンサ等の大型部品が搭載されている。裏面にチップ状電子部品が搭載されている。図１では裏面に保護スペーサが４箇所設けられている。これらの保護スペーサの頂点を結んだ面積が２次元的に配置されている。保護スペーサは、３個以上となる。保護スペーサは、図２（ａ）に示すようにチップ状電子部品より高さが高い（（Ａ）＜（Ｂ））必要がある。チップ状電子部品と同一基板に搭載される、チップ状電子部品よりも高さが高い部品を、保護スペーサとして用いることができる。例えば、端子部品（コネクタを含む）は外部との接続に必ず必要なので、わざわざ用意する必要が無い。また、例えば、プリント配線板に、実際には端子として使用しない端子部品を、擬似部品として実装し、保護スペーサとして用いることができる。スペーサは筒状のものが良い。中にねじを通せば、プリント配線板をそのまま装置に固定できる。また、装置に固定する場合にスペーサを用いる。装置に固定するスペーサを本考案のスペーサにガイドとして利用できる。装置に固定するスペーサを筒状として、本考案のスペーサに挿入する。装着が容易であり、装置に固定するスペーサが組立て時に落ちない。
【００１０】
図２が本発明の機能説明図である。図２（ｂ）の従来の製法によるプリント配線板を作業机等に置いた場合、チップ状電子部品にストレスが加わる。これによるチップ状電子部品の破壊の可能性がある。通常作業机の上はマットを敷いてある。しかし、作業机はマットを敷いていないことも考えられる。配送箱から出してマットの敷いていない作業机の上に、図２(a)の本発明の製法によるプリント配線板を机等に置いた場合、保護スペーサにより確保された空間によって、チップ状電子部品へのストレスが直接加わらなくなる。よって、不用意にチップ状電子部品を破損しない。
【産業上の利用可能性】
【００１１】
本考案は、チップ部品を搭載した電子装置を外的ストレスから保護できるので、容易に取り扱うことができる。
【符号の説明】
【００１２】
１  プリント配線板
２  電解コンデンサ
３  保護スペーサ
４  チップ状電子部品
５  作業机
【図１】
0003205140.tif 000003
【図２】
0003205140.tif 000004
(57)【要約】      （修正有）【課題】ホコリや異物侵入による損壊を防止できる自転車用馬蹄型ロック防護装置を提供する。【解決手段】ロックの外殼１０と底殼１２との間に対応形状の弧状保護カバー２０を設置する。保護カバー２０はラッチ１３の後端に連結し、ラッチ１３がロックをかけた状態を呈すると、保護カバー２０は同期に動作し、外殼１０の軌道槽１１を遮蔽し、ホコリ、異物の外殼１０、底殼１２への侵入を防止する。これによりリターンスプリング１５の損壊を回避し、保護することができる。【選択図】図３
0003205111.tif 000002
【実用新案登録請求の範囲】
【請求項１】
馬蹄型ロック防護装置であって、
一体に組み合わせた外殼、および底殼を備え、内部に弧状ラッチおよびリターンスプリングが設置され、
該外殼は、弧状の軌道槽を備え、
該ラッチは、一体に結合するレバーを備え、該外殼の軌道槽に露出され、該レバーによって該ラッチを動かし、ロックをかけ、或いはロックを解除することが可能であり、
該ラッチには、一体に連結する保護カバーが設置され、該保護カバーの形状は、該軌道槽に対応し、
該ラッチを動かしてロックをかけた状態とすると、該保護カバーは同期して移動することで、該外殼の軌道槽を遮蔽することを特徴とする馬蹄型ロック防護装置。
【請求項２】
該ラッチには、連動柄が設けられ、該レバーと一体に組み合わされてなり、
該保護カバーには、穿孔が設けられ、該保護カバーの穿孔には、該ラッチの連動柄が通されて組み合わされてなり、
該保護カバーと該ラッチとは一体に連結されてなることを特徴とする請求項１に記載の馬蹄型ロック防護装置。
【考案の詳細な説明】
【技術分野】
【０００１】
本考案は馬蹄型ロック防護装置に関し、特にホコリや異物侵入による損壊を防止できる保護装置を備える自転車の馬蹄型ロック防護装置に関する。
【背景技術】
【０００２】
従来の自転車の馬蹄型ロック構造は、図１、２に示すように、外殼１中に弧状のラッチ３、リターンスプリング５を設置する。
該ラッチ３は、レバー４を備え、ラッチ３を動かして、ロックをかけ、ロックを解除する。
該外殼１は、軌道槽２を備え、これにより該レバー４は、ラッチ３に連結される。
該軌道槽２は、該レバー４が移動する軌道である。
該リターンスプリング５は、ロック解除時に、該ラッチ３を迅速にもとの位置に戻すことができる。
【０００３】
しかし、上述の構造には、以下のような欠点がある。
図１に示すように、ロック解除の状態では、軌道槽２はラッチ３に遮蔽されている。
しかも、図２に示すように、ロックをかけると、該リターンスプリング５は、引き伸ばされ、該軌道槽２に位置するが、該軌道槽２は空洞であるため、ホコリや異物が侵入し、該リターンスプリング５を損壊する恐れがある。
特に、人が破壊しようとするなら、該軌道槽２から該リターンスプリング５を破壊することができる。
本考案は、従来の馬蹄型ロックの上記した欠点に鑑みてなされたものである。
【先行技術文献】
【特許文献】
【０００４】
【特許文献１】実用新案登録第3182128号公報
【考案の概要】
【考案が解決しようとする課題】
【０００５】
本考案が解決しようとする課題は、馬蹄型ロック防護装置を提供することである。
【課題を解決するための手段】
【０００６】
上記課題を解決するため、本考案は下記の馬蹄型ロック防護装置を提供する。
馬蹄型ロック防護装置には、保護カバーを設置し、ラッチに連結し、該保護カバーの形状は、弧状軌道槽に対応し、ラッチを動かしロックをかけると、保護カバーは軌道槽位置まで同期に移動し、保護カバーは軌道槽を遮蔽し、ホコリ、異物の侵入を防止し、リターンスプリングの損壊を回避することができる。
【考案の効果】
【０００７】
本考案の馬蹄型ロック防護装置は、ホコリ、異物の外殼、底殼への侵入を防止でき、これによりリターンスプリングの損壊を回避でき、リターンスプリングを保護することができる。
【図面の簡単な説明】
【０００８】
【図１】従来の構造のロック解除状態の構造図である。
【図２】従来の構造のロックをかけた状態の構造図である。
【図３】本考案構造の立体分解図である。
【図４】本考案構造のロック解除状態の模式図である。
【図５】本考案構造のロックをかけた状態の模式図である。
【考案を実施するための形態】
【０００９】
以下に図面を参照しながら本考案を実施するための最良の形態について詳細に説明する。
【００１０】
図３、４、５に示すように、本考案による馬蹄型ロック防護装置は、一体に組み合わせた外殼１０、底殼１２を備える。
【００１１】
該底殼１２には、弧状のラッチ１３、リターンスプリング１５を設置する。
【００１２】
該外殼１０は、弧状軌道槽１１を備える。
【００１３】
該ラッチ１３は、一体に結合するレバー１６を備え、該外殼１０の軌道槽１１に露出する。
【００１４】
該レバー１６により、該ラッチ１３を動かし、ロックをかけ、或いはロックを解除する。
【００１５】
該ラッチ１３後には、一体に連結する保護カバー２０を設置し、該保護カバー２０の形状は、軌道槽１１に対応する。
【００１６】
該ラッチ１３には、連動柄１４を設置し、該レバー１６と一体に組み合わせる。
【００１７】
該保護カバー２０には、穿孔２１を設置する。
【００１８】
該保護カバー２０の穿孔２１には、該ラッチ１３の連動柄１４を通して組み合わせ、該保護カバー２０と該ラッチ１３を一体に連結する。
【００１９】
上述の装置、構造は、以下の長所を備える。
【００２０】
図４に示すように、ロック解除状態時には、該外殼１０の軌道槽１１は、該ラッチ１３により遮蔽し、異物が進入することはない。
【００２１】
ロックをかけた状態時には、図５に示すように、該レバー１６を動かし、該ラッチ１３ロックをかけると同時に、該保護カバー２０を同期に動かす。
【００２２】
これにより、該保護カバー２０は、該外殼１０の軌道槽１１位置へと移動し、こうして該保護カバー２０は、該軌道槽１１を遮蔽することができる。
【００２３】
これにより、ホコリ、異物の侵入を防止でき、該保護リターンスプリング１５を保護する効果を実現することができる。
【００２４】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００２５】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００２６】
１、 １０  外殼
１２  底殼
２、１１  軌道槽
１４  連動柄
３、１３  ラッチ
２０  保護カバー
４、１６  レバー
２１  穿孔
５、１５  リターンスプリング
【図１】
0003205111.tif 000003
【図２】
0003205111.tif 000004
【図３】
0003205111.tif 000005
【図４】
0003205111.tif 000006
【図５】
0003205111.tif 000007
(57)【要約】      （修正有）【課題】回路の形成、変更及び確認を容易にすることができる回路形成及び変更用金属箔テープ送出装置を提供する。【解決手段】剥離テープ１１と片面に粘着剤を塗布した片面粘着金属箔テープ１を装填したリール２をケース３内に回動自在に装設し、該リールの裏面にリール歯車４を一体的に突設し、適宜位置に枢支部７を具え、片面粘着金属箔テープを平面上に固定し切断する為の圧着ヘッド５と切刃６を設けたことを特徴とする。【選択図】図１
0003205071.tif 000002
【実用新案登録請求の範囲】
【請求項１】
回路形成及び変更用金属箔テープ送出装置。
【考案の詳細な説明】
【技術分野】
【０００１】  本考案は、回路形成及び変更の簡易化を図った金属箔テープ送出装置に関する。
【背景技術】
【０００２】  従来の回路形成方法はプリント基板上ではプリント配線の使用、ユニバーサル基板上ではビニル線やリード線の使用が一般的である。
【先行技術文献】
【特許文献】
【０００３】
【特許文献１】  実開平０６−０８７３５７号  公報
【考案の概要】
【考案が解決しようとする課題】
【０００４】  以上に述べた従来の回路形成方法は、形成、変更及び確認に手間を要する。
【課題を解決するための手段】
【０００５】  本考案は、このような従来の方法が有していた問題を解決しようとするものであり、回路の形成、変更及び確認を容易にすることを目的とするものである。
【考案の効果】
【０００６】  金属箔テープ送出装置を用い金属箔テープを基板及び平面上に貼り付けることで、自在に回路を描くことが可能になる。金属箔テープが基板及び平面に固定されるため配線の確認も容易となる。修正する場合はテープを剥がすことで自在に修正が可能となる。
【図面の簡単な説明】
【０００７】
【図１】  本考案の実施形態を示すテープ送出装置の断面図
【考案を実施するための形態】
【０００８】  以下、本考案の実施の形態を図１に基づいて説明する。
【０００９】  本考案による金属箔テープ送出装置を図面に示す実施例により更に詳しく説明すると、図１は本考案によるテープ送出装置の断面図であり、剥離テープ１１の片面に粘着剤を塗布した片面粘着金属箔テープ１を装填したリール２をケース３内に回動自在に装設し、該リール２の裏面にリール歯車４を一体的に突設する。又、切断操作棒９をバネ１０でケース３と接続する。
【００１０】  次に、使用する際は、片面粘着金属箔テープ１と剥離テープ１１の先端から剥離テープ１１を剥離させて片面粘着金属箔テープ１を少し引出し、圧着ヘッド５の下端を通し、ケース３を被着面に押圧し、ケース３を押圧したまま後方へ押動することにより片面粘着金属箔テープ１が被着面に粘着され、切断操作棒９の上部を下方に押下することにより切刃６で片面粘着金属箔テープ１を所望の位置で切断することが出来る。
【産業上の利用可能性】
【００１１】  電化製品の試作品段階に回路基板上で回路の修正、変更を頻繁に行う場面で利用が期待される。
【符号の説明】
【００１２】１  片面粘着金属箔テープ
２  リール
３  ケース
４  リール歯車
５  圧着ヘッド
６  切刃
７  枢支部
８  ケース開口部
９  切断操作棒
１０  バネ
１１  剥離テープ
【図１】
0003205071.tif 000003
【手続補正書】
【提出日】平成28年4月12日(2016.4.12)
【手続補正１】
【補正対象書類名】実用新案登録請求の範囲
【補正対象項目名】全文
【補正方法】変更
【補正の内容】
【実用新案登録請求の範囲】
【請求項１】
剥離テープと片面に粘着剤を塗布した片面粘着金属箔テープを装填したリールをケース内に回動自在に装設し、該リールの裏面にリール歯車を一体的に突設し、適宜位置に枢支部を具え、片面粘着金属箔テープを平面上に固定し切断する為の圧着ヘッドと切刃を設けたことを特徴とする回路形成及び変更用金属箔テープ送出装置。
(57)【要約】      （修正有）【課題】ブランケットを収納することができ、お尻が冷えにくくなるとともに、災害時には防災頭巾になる座布団を提供する。【解決手段】座布団の側面の縫合部分にジッパーをつけ、その座布団の中にブランケットを収納する。また、座布団の左側面のみジッパーを閉じ、前側面、右側面、右側面につながる後側面の一部を開くと防災頭巾になる。座布団の中の紐を結ぶと頭からの脱落を防止できる。このとき、ブランケットは小さくたたんで内部のゴムにひっかけて左側面に寄せることで頭を頑丈に守ることができる。日常生活は勿論、災害時にも危険から身を守ったり、体温調節をしたりすることに役立つ。【選択図】図１
0003205072.tif 000002
【実用新案登録請求の範囲】
【請求項１】
前側面、左右側面、及び、前記右側面につながる後側面の一部を開閉するジッパーが取り付けられた座布団本体と、前記座布団本体の内部に収納されたブランケットとを備え、前記左側面のジッパーを閉じ、前側面、右側面、前記右側面につながる後側面の一部を開くことにより防災頭巾になすことを特徴とするブランケット収納付き座布団。
【請求項２】
前記座布団本体の内面に設けられたブランケットをかけるゴムと、前記座布団本体の内面に設けられた、防災頭巾にした際に頭からの脱落を防止する紐とを備えていることを特徴とする請求項１記載のブランケット収納付き座布団。
【考案の詳細な説明】
【技術分野】
【０００１】
本考案は、座布団の側面の縫合部分にジッパーを付け、ブランケットを収納でき、また、ジッパーの閉め方によって防災頭巾になるブランケット収納付き座布団である。
【背景技術】
【０００２】
冷え性の人はブランケットを膝にかけて椅子に座っているとお尻が冷える。また、近年、震災があり防災頭巾を自分の近くに置いておきたいという人が増えてきた。
【先行技術文献】
【特許文献】
【０００３】
【特許文献１】実用新案登録第３１１１１５３号公報
【考案の概要】
【考案が解決しようとする課題】
【０００４】
ブランケットのみではお尻が冷える。また、災害時には自分の近くに身を守る道具が必要となる。本考案は座布団の側面の縫合部分にジッパーを付けてブランケットを収納できるようにし、且つ、ジッパーの閉め方によって防災頭巾になることにより前述の欠点を解決しようとするものである。
【課題を解決するための手段】
【０００５】
本考案のブランケット収納付き座布団は、前側面、左右側面、及び、前記右側面につながる後側面の一部を開閉するジッパーが取り付けられた座布団本体と、前記座布団本体の内部に収納されたブランケットとを備え、前記左側面のジッパーを閉じ、前側面、右側面、前記右側面につながる後側面の一部を開くことにより防災頭巾になすことを特徴とする。
また、ブランケット収納付き座布団は、前記座布団本体の内面に設けられたブランケットをひっかけるゴムと、前記座布団本体の内面に設けられた、防災頭巾にした際に頭に固定するために結ばれる紐とを備えていることを特徴とする
すなわち、本考案は、座布団の側面にジッパーを付け、その座布団の中にたたんだブランケットを収納することができる。また、座布団の左側面のジッパーを閉じ、前側面、右側面及び前記右側面につながる後側面の一部を開くと防災頭巾になる。座布団の中に付いている紐２本を結ぶと装着した座布団の頭からの脱落をぼうしできる。このときブランケットは取り出してもよいが、小さくたたんで内部のゴムにひっかけて左側面に寄せておくことで頭を頑丈に守ることができる。
【考案の効果】
【０００６】
上述のように本考案のブランケット収納付き座布団は座布団のみでも、ブランケットのみでも使えることは勿論、ジッパーを座布団本体に取り付けたのでブランケットを収納することもでき、ジッパーの閉じ方によって防災頭巾にもなる。日常生活でも、災害時の避難先でもいつも危険から身を守ったり、体温調節をしたりすることにも役立つ。
【図面の簡単な説明】
【０００７】
【図１】図１は本考案のブランケット収納付き座布団の実施例を示す正面図である。
【図２】図２は本座布団からブランケットを取り出す一の例である。
【図３】図３は本座布団からブランケットを取り出す他の例である。
【図４】図４は本座布団を後ろから見た図である。
【図５】図５は本座布団の内部の図である。
【図６】図６は本座布団を防災頭巾にした例である。
【考案を実施するための形態】
【０００８】
座布団本体１のジッパー３，４のつまみ３Ａ、４Ａを移動させ、ジッパー３,４を全開にして中に入れておいたブランケット６を広げて自分の膝にかける。また災害時にはジッパー４の左側面は閉めておき、ジッパー３の他の側面は開けておく。そして頭に被り、中に縫ってある紐５を結んで頭に固定させる。この時ブランケット６は取り出してもよいが、小さくたたんで内部のゴム７にひっかけて左側面に寄せて被ることで頭を頑丈に守ることができる。図４のように後側面の所定寸法(例えば１３センチ)までジッパーが開けられるようになっているのは、被れるようにするためである。
【実施例１】
【０００９】
以下、添付図面に沿って実施例を説明する。１は座布団で、２は椅子に固定させるためのゴムである。また、３、４はジッパーであって、このジッパー３、４を全開にすると中にいれておいたブランケット６を広げられる。図２、図３は座布団本体１を椅子８に装着し、ブランケット６を広げた状態を表す。図２は両側面からブランケット６を広げて自分の膝の上に重ねるようにかける方法である。また、図３は片方の側面からブランケット６を広げ自分の膝の上にかける方法である。自分の身体の大きさにあい、且つ、本座布団に入れることができるブランケットを座布団の中に入れておくとよい。
【００１０】
災害時には防災頭巾にできる。ジッパー３を座布団本体左側面のみ閉めておき、頭に被り、中に縫ってある紐５を結んで頭に固定させる。この時ブランケット６は取り出してもよいが、小さくたたみ、図５，６に示すように内部のゴム７にひっかけて左側面に寄せて被ることで、頭を頑丈に守ることができる。図４のように後側面１３センチまでジッパー３が開けられるようになっているのは防災頭巾として被れるようにするためである。
【符号の説明】
【００１１】
１    座布団本体
２    椅子に固定させるためのゴム
３    ジッパー
３Ａ  ジッパーのつまみ
４    ジッパー
４Ａ  ジッパーのつまみ
５    本座布団を防災頭巾にして、装着した際に頭からの脱落を防止するために結ぶ紐
６    ブランケット
７    本座布団を防災頭巾にした際に、小さくたたんだブランケットをひっかけるため
のゴム              
８    椅子
【図１】
0003205072.tif 000003
【図２】
0003205072.tif 000004
【図３】
0003205072.tif 000005
【図４】
0003205072.tif 000006
【図５】
0003205072.tif 000007
【図６】
0003205072.tif 000008
(57)【要約】      （修正有）【課題】夜間、車両を方向転換したり駐車場に停車する場合、後部タイヤ付近が見えやすいライト内蔵サイドミラーを提供する。【解決手段】夜間車両バック時、シフトレバーをバックにセットすることにより、既存のバックライトと連動させてサイドミラー下部に設置したＬＥＤライトが点灯する。このＬＥＤライトが車両側面後方を照らすことにより、従来では見えにくい側面後方を見えやすくし、バック操作の安全性を高める。サイドミラー下部後方にライトを設置することにより、運転者の視界に発光源が入ることなくサイドミラーを確認できる。【選択図】図１
0003205077.tif 000002
【実用新案登録請求の範囲】
【請求項１】
夜間の車両バック時、車両側面後方をサイドミラー下部に設置されたＬＥＤライトを点灯させて照らす。
【考案の詳細な説明】
【技術分野】
【０００１】
本考案は、夜間車両バック時に車両側面後方を照射することにより、側面後方を見やすくするシステムに関するものである。
【考案の概要】
【考案が解決しようとする課題】
【０００２】
夜間、車両を方向転換したり駐車場に停車する場合、後部タイヤ付近が現行のバックライトのみでは見えにくい。
【課題を解決するための手段】
【０００３】
本考案は、車両バック時シフトレバーをバックの位置にセットすると同時に、サイドミラー内蔵のライトが点灯して車両側面後方を照らす。
【考案の効果】
【０００４】
本考案は、夜間車両バック時に車両側面後方を照らすことにより、従来では見えにくい側面後方を見えやすくしバック操作の安全性を高める。また、サイドミラー下部後方にライトを設置することにより、運転者の視界に発光源が入ることなくサイドミラーを確認できる。
【図面の簡単な説明】
【０００５】
【図１】図1の説明。サイドミラーを正面から見た図。サイドミラー下部後方にＬＥＤライトを設置する。
【図２】図3の説明。車両全体図。サイドミラーの位置に変更はない。点線部分が照射範囲である。
【図３】図2の説明。サイドミラーを側面から見た図。発光源が運転者の視界に入らぬよう、後方に設置する。
【図１】
0003205077.tif 000003
【図２】
0003205077.tif 000004
【図３】
0003205077.tif 000005
【手続補正書】
【提出日】平成28年5月5日(2016.5.5)
【手続補正１】
【補正対象書類名】実用新案登録請求の範囲
【補正対象項目名】全文
【補正方法】変更
【補正の内容】
【実用新案登録請求の範囲】
【請求項１】
夜間の車両バック時、車両側面後方をサイドミラー下部に設置されたＬＥＤライトを点灯させて照らす、ライト内臓サイドミラー。
【手続補正２】
【補正対象書類名】明細書
【補正対象項目名】０００５
【補正方法】変更
【補正の内容】
【０００５】
【図１】図1の説明。サイドミラーを正面から見た図。サイドミラー下部後方にＬＥＤライトを設置する。
【図２】図2の説明。サイドミラーを側面から見た図。発光源が運転者の視界に入らぬよう、後方に設置する。
【図３】図3の説明。車両全体図。サイドミラーの位置に変更はない。点線部分が照射範囲である。
(57)【要約】      （修正有）【課題】取り扱いが簡便で、安全かつ効率の良い炭熾し器を提供する。【解決手段】円筒形状で２段伸縮の炭熾し器１であり、上段円筒２の上部に把手４を設け、円筒側面に複数個の縦長の略コの字形状の係止孔５を設ける。上段円筒２よりわずかに径の大きい下段円筒３の側面に多数の小孔７を穿設し、円筒下部に複数個の切り欠き８を設け、下段円筒上部に設けた複数個の突起６を、上段円筒の複数個の係止孔５に遊挿する。【選択図】図１
0003205086.tif 000002
【実用新案登録請求の範囲】
【請求項１】
円筒形状で２段伸縮の炭熾し器であり、上段円筒の上部に把手を設け、円筒側面に複数個の縦長の略コの字形状の係止孔を穿設するとともに、前記上段円筒よりわずかに径の大きい下段円筒の側面に多数の小孔を穿設し、円筒下部に複数個の切り欠きを設け、円筒上部に設けた複数個の突起を、前記上段円筒の複数個の係止孔に遊挿したことを特徴とする、バーベキューコンロ用炭熾し器。
【考案の詳細な説明】
【技術分野】
【０００１】
効率よく炭が熾せる、２段伸縮のバーベキューコンロ用炭熾し器に関する。
【背景技術】
【０００２】
従来の炭焼きバーベキューコンロには火床（ロストル）自体が無いものや、あっても固定されたものが多く、炭を熾す際には炭を平に置いた状態で着火しているが、個々の炭が熾きるまでには時間がかかるために、バーナーで強制的に火力を加えたり、うちわで扇いだりしていた。
【考案の概要】
【考案が解決しようとする課題】
【０００３】
現在市販されている炭熾し器には、下部に小さな空気窓がついた円筒状やバケツ型のものなどがあるが、単独製品であるこれらの炭熾し器には底板があるために、炭が熾きた後には過熱した容器を持ち上げて、コンロに燃焼炭を移し換えなければならない危険を伴うものであった。
本考案は、安全にかつ簡便で効率の良い炭熾し器の提供を課題とする。
【課題を解決するための手段】
【０００４】
上段円筒の上部に把手を設け、円筒側面に複数個の縦長の略コの字形状の係止孔を穿設する。前記上段円筒よりわずかに径の大きい下段円筒の側面に多数の小孔を穿設し、円筒下部に複数個の切り欠きを設け、円筒上部に設けた複数個の突起を、前記上段円筒の複数個の係止孔に遊挿する。
【考案の効果】
【０００５】
１、コンロ中央に直接置いて炭を熾こせ、燃焼炭を移し換えなくて良い。
２、炭熾し器には底板がなく、各種、各形状のバーベキューコンロにも対応できる。
３、使用時には炭熾し器を２段に伸ばした煙突効果により、短時間で炭を熾せる。
４、収納時には、上下の円筒の係止を解いて高さを縮めて収納できる。
５、円筒形なので軽量でコストも安価にできる。
【図面の簡単な説明】
【０００６】
【図１】本考案の斜視図
【図２】本考案の収納時の斜視図
【図３】本考案の使用時の断面図
【図４】本考案の変形態様の実施例の斜視図
【図５】本考案の変形態様の勘合部分の説明図
【考案を実施するための形態】
【０００７】
円筒形状で２段伸縮の炭熾し器１であり、上段円筒２の上部に把手４を設け、円筒側面に複数個の縦長の略コの字形状の係止孔５を穿設する。
前記下段円筒２よりわずかに径の大きい下段円筒３の側面には、補助燃焼空気用の多数の小孔７を穿設し、円筒下部には燃焼用空気の吸入口となる複数個の切り欠き８を設ける。
下段円筒３の上部に設けた複数個の突起６を、前記上段円筒２の複数個の係止孔５に遊挿する。
【実施例】
【０００８】
図１は、本考案の斜視図である。図２は、本考案の収納時の斜視図である。
本実施例では、上段円筒２の上部に把手４を設け、円筒側面に縦長の略コの字形状の係止孔５を対面に２個設けるとともに、上段円筒２よりわずかに径の大きい下段円筒３の側面には補助燃焼空気用の多数の小孔７を穿設し、円筒下部には燃焼用空気の吸入口となる切り欠き８を３個と、円筒上部に突起６を２個設けて、上段円筒２の係止孔５の２個に遊挿する。
また、本考案の下段円筒３の側面に穿設した多数の小孔７に替えて、側面に多数の水平方向の切り込みを入れ、切り込みを境にして上部を内側から外側へ、下部を外側から内側へと逆方向に押し開けることで、多数の小孔７を形設してもよい。
【０００９】
図３は、本考案の使用時の断面図である。
図３を参照にして、以下に使用法及び作用を説明する。
使用時には、上段円筒２と下段円筒３の係止を解いて、炭熾し器１を縮めた状態でコンロ９の中央に置き、その中に焚きつけ１０と炭１１を順に入れてから、上段円筒２を把手４で引き上げて突起６を下段円筒３の略コの字形状の係止孔５の下の横孔に係止させ、煙突形状にして下段円筒３下部の切り欠き８から着火する。
【００１０】
下段円筒３の切り欠き８からの燃焼用空気と、円筒側面の多数の小孔７からの補助燃焼用空気とが相俟って、下段円筒３内に積み上げられた炭１１全体が、２段に伸ばした炭熾し器１の煙突効果で一気に炎に包まれ短時間で炭１１が熾きる。
炭１１が熾きたら上段円筒２の把手４を持ち上げて底板のない炭熾し器１を外し、コンロ９上に残った炭１１を均してから使用する。
収納時には、上段円筒２と下段円筒３の係止を解いて上段円筒２を下段円筒３内に落とし込み、高さを縮めて収納する。
【００１１】
図４は、本考案係止部の変形態様の実施例の斜視図である。図５は、変形態様の実施例の勘合部分の説明図である。
下段円筒３の外周面上部に周設した上下２段の鍔による嵌合溝１３を形設し、該嵌合溝１３の鍔に複数個の切欠き部を設けて嵌合口１５とし、前記下段円筒３よりわずかに径の大きい上段円筒２の内周面下部に、前記嵌合口１５より幅が狭く、前記嵌合溝１３に適応する複数個の嵌合用突起１４を設ける。
【００１２】
使用法や手順、及び収納は本考案の炭熾し器１と基本的には同様である。
下段円筒３の嵌合口１５に上段円筒２の嵌合用突起１４を合わせるように被せ、下段円筒３の嵌合溝１３に上段円筒２の嵌合用突起１４を回転させて嵌合する。
使用時には、下段円筒３の切り欠き８からの燃焼用空気と、円筒側面の多数の小孔７からの補助燃焼用空気の他に、上段円筒２と下段円筒３との嵌合口１５の隙間からも上昇空気を供給することができる。
【符号の説明】
【００１３】
１  炭熾し器
２  上段円筒
３  下段円筒
４  把手
５  係止孔
６  突起
７  小孔
８  切り欠き
９  コンロ
１０焚きつけ
１１炭
１２火床（ロストル）
１３嵌合溝
１４嵌合用突起
１５嵌合口
【図１】
0003205086.tif 000003
【図２】
0003205086.tif 000004
【図３】
0003205086.tif 000005
【図４】
0003205086.tif 000006
【図５】
0003205086.tif 000007
(57)【要約】      （修正有）【課題】足筋肉を活性化させ常につま先を上げるくせをつけさせることができる足筋肉活性つまずき防止プレートを提供する。【解決手段】板バネを足型又草履型に成形し足のつけ根部分より上方に屈曲さす上記板バネを履物表層３ａと底層３Ｂの中に挿入する。【選択図】図３
0003205090.tif 000002
【実用新案登録請求の範囲】
【請求項１】
板バネ材を足型草履型に成形し上方に屈曲させた足筋肉活性つまずき防止プレート
【請求項２】
請求項１記載のプレートを前部と後部に分割すると共に接合してなる筋肉活性つまずき防止プレート
【請求項３】
請求項１記載のプレートを履物表層と底層の中に挿入することの出来る筋肉活性つまずき防止プレート
【請求項４】
請求項１記載のフレートを緩衝材、又布でて覆うことの出来る筋肉活性つまずき防止プレート
【考案の詳細な説明】
【技術分野】
【０００１】本考案は足筋肉活性化とつま先がよく上がらい人が日常歩行する時に自然と上がるよう習慣つけさす。【０００２】近年つまずき防止用に先端部分の上がってる靴が主流になりつゝあるが室内用つまずき防止用の履物はあまりないようだ
【考案の概用】
考案が解決しようとする課題
【０００３】足筋肉を活性化させ常につま先を上げるくせをつけさせるプレートを提供する。
【課題を解決する手段】
【０００４】上記目的を達成するため板バネを足型又草履型に成形し足指つけ根部分より上方に屈曲せさその上に足を乗せることにより必然的につまさきが上がる全面を緩衝材、布で覆う
【０００５】上記板バネを履物製造時に表層と底層の中に挿入する
又異なる素材と接合することも出来る
【考案の効果】
【０００６】板バネの上がる力と歩行時つま先の下がる力が相反しててそれぞれの足筋足すなわち背屈により前脛骨筋底屈により腓腹筋、ヒラメ筋等を刺激して活性化させる
【０００７】着用してる時は常につま先が上がってる状態なのでつまずき防止には大なるものがある。
【０００８】使用後も効力が持続する
【図面の簡単な説明】
【０００９】
【図１】板バネを足型に成形しつま先部分を屈曲させた断面図
【図２】板バネを異なる素材２ａと接合した図
【図３】履物表層３ａと底層３Ｂの中に板バネを挿入した断面図
【図４】草履状に成型した板バネ平面図４ａ４Ｂ４Ｃは穴
【図１】
0003205090.tif 000003
【図２】
0003205090.tif 000004
【図３】
0003205090.tif 000005
【図４】
0003205090.tif 000006